【手続補正書】
【提出日】平成16年12月15日(2004.12.15)
【手続補正１】
【補正対象書類名】明細書
【補正対象項目名】発明の名称
【補正方法】変更
【補正の内容】
【発明の名称】データ変換装置及び方法、信号記録再生装置、並びに再生装置及び方法
【手続補正２】
【補正対象書類名】明細書
【補正対象項目名】特許請求の範囲
【補正方法】変更
【補正の内容】
【特許請求の範囲】
【請求項１】
直交変換を伴う映像データの圧縮符号化の際に、直交変換ブロック毎に直交変換係数が直流成分、交流成分の低次から高次の順に配置された第１のフォーマットの符号化データと、直交変換を伴う映像データの圧縮符号化の際に、複数の直交変換ブロックをまとめたブロック集合体毎に直交変換係数が直流成分、交流成分の低次から高次の順に配置された第２のフォーマットの符号化データとの間でデータ変換を行うデータ変換装置であって、
上記第２のフォーマットの符号化データを上記直交変換係数を得るまで復号する復号手段と、
この復号手段により得られた上記第２のフォーマットのデータについての上記直交変換係数を並べ替えて上記第１のフォーマットの上記直交変換ブロック毎に直流成分、交流成分の低次から高次の順に配置する変換手段と、
この変換手段からの直交変換係数を符号化して上記第１のフォーマットの符号化データとする符号化手段と
を有することを特徴とするデータ変換装置。
【請求項２】
上記直交変換は離散余弦変換（ＤＣＴ）であり、上記直交変換ブロックはＤＣＴブロックであり、上記ブロック集合体はマクロブロックであることを特徴とする請求項１記載のデータ変換装置。
【請求項３】
上記復号手段は可変長復号手段であり、上記符号化手段は可変長符号化手段であることを特徴とする請求項１記載のデータ変換装置。
【請求項４】
上記符号化手段からの符号化データにヘッダを付加して上記第１のフォーマットの符号化データストリームとするヘッダ付加手段をさらに有することを特徴とする請求項１記載のデータ変換装置。
【請求項５】
直交変換を伴う映像データの圧縮符号化の際に、直交変換ブロック毎に直交変換係数が直流成分、交流成分の低次から高次の順に配置された第１のフォーマットの符号化データと、直交変換を伴う映像データの圧縮符号化の際に、複数の直交変換ブロックをまとめたブロック集合体毎に直交変換係数が直流成分、交流成分の低次から高次の順に配置された第２のフォーマットの符号化データとの間でデータ変換を行うデータ変換方法であって、
上記第２のフォーマットの符号化データを上記直交変換係数を得るまで復号する復号工程と、
この復号工程により得られた上記第２のフォーマットのデータについての上記直交変換係数を並べ替えて上記第１のフォーマットの上記直交変換ブロック毎に直流成分、交流成分の低次から高次の順に配置する変換工程と、
この変換工程により得られた直交変換係数を符号化して上記第１のフォーマットの符号化データとする符号化工程と
を有することを特徴とするデータ変換方法。
【請求項６】
直交変換を伴う映像データの圧縮符号化の際に、複数の直交変換ブロックをまとめたブロック集合体毎に直交変換係数が直流成分、交流成分の低次から高次の順に配置された第２のフォーマットの符号化データを記録媒体に対して記録し再生する信号記録再生装置において、
上記記録媒体から再生された上記第２のフォーマットの符号化データを上記直交変換係数を得るまで復号する復号手段と、
この復号手段により得られた上記第２のフォーマットのデータについての上記直交変換係数を並べ替えて、直交変換ブロック毎に、直流成分、交流成分の低次から高次の順に配置される第１のフォーマットの係数配列順序に変換する変換手段と、
この変換手段からの直交変換係数を符号化して上記第１のフォーマットの符号化データとする符号化手段と
を有することを特徴とする信号記録再生装置。
【請求項７】
符号化データを変換するデータ変換装置であって、
直交変換を伴う映像データの圧縮符号化の際に、複数の直交変換ブロックをまとめたブロック集合体毎に直交変換係数が直流成分、交流成分の低次から高次の順に配置された第２のフォーマットの符号化データから、上記直交変換係数を取得する取得手段と、
上記取得手段により得られた上記直交変換係数を、直交変換を伴う映像データの圧縮符号化の際に、直交変換ブロック毎に直交変換係数が直流成分、交流成分の低次から高次の順に配置された第１のフォーマットの上記直交変換ブロック毎に、直流成分、交流成分の低次から高次の順に配置する変換手段と
を有することを特徴とするデータ変換装置。
【請求項８】
上記変換手段からの直交変換係数を符号化して上記第１のフォーマットの符号化データとする符号化手段をさらに有することを特徴とする請求項７に記載のデータ変換装置。
【請求項９】
符号化データを変換するデータ変換方法であって、
直交変換を伴う映像データの圧縮符号化の際に、複数の直交変換ブロックをまとめたブロック集合体毎に直交変換係数が直流成分、交流成分の低次から高次の順に配置された第２のフォーマットの符号化データから、上記直交変換係数を取得する取得工程と、
上記取得工程により得られた上記直交変換係数を、直交変換を伴う映像データの圧縮符号化の際に、直交変換ブロック毎に直交変換係数が直流成分、交流成分の低次から高次の順に配置された第１のフォーマットの上記直交変換ブロック毎に、直流成分、交流成分の低次から高次の順に配置する変換工程と
を有することを特徴とするデータ変換方法。
【請求項１０】
上記変換工程からの直交変換係数を符号化して上記第１のフォーマットの符号化データとする符号化工程をさらに有することを特徴とする請求項９に記載のデータ変換方法。
【請求項１１】
記録媒体に記録された符号化データを再生する再生装置において、
直交変換を伴う映像データの圧縮符号化の際に、複数の直交変換ブロックをまとめたブロック集合体毎に直交変換係数が直流成分、交流成分の低次から高次の順に配置された第２のフォーマットの符号化データが記録された記録媒体から、該第２のフォーマットの符号化データを再生する再生手段と、
上記再生手段により再生された上記第２のフォーマットの符号化データを復号するとともに、上記直交変換係数を取得する復号手段と、
上記復号手段により取得された上記直交変換係数を、直交変換を伴う映像データの圧縮符号化の際に、直交変換ブロック毎に直交変換係数が直流成分、交流成分の低次から高次の順に配置された第１のフォーマットの上記直交変換ブロック毎に、直流成分、交流成分の低次から高次の順に配置する変換手段と
を有することを特徴とする再生装置。
【請求項１２】
上記変換手段からの直交変換係数を符号化して上記第１のフォーマットの符号化データとする符号化手段をさらに有することを特徴とする請求項１１に記載の再生装置。
【請求項１３】
記録媒体に記録された符号化データを再生する再生方法において、
直交変換を伴う映像データの圧縮符号化の際に、複数の直交変換ブロックをまとめたブロック集合体毎に直交変換係数が直流成分、交流成分の低次から高次の順に配置された第２のフォーマットの符号化データが記録された記録媒体から、該第２のフォーマットの符号化データを再生する再生工程と、
上記再生工程により再生された上記第２のフォーマットの符号化データを復号するとともに、上記直交変換係数を取得する復号工程と、
上記復号工程により取得された上記直交変換係数を、直交変換を伴う映像データの圧縮符号化の際に、直交変換ブロック毎に直交変換係数が直流成分、交流成分の低次から高次の順に配置された第１のフォーマットの上記直交変換ブロック毎に、直流成分、交流成分の低次から高次の順に配置する変換工程と
を有することを特徴とする再生方法。
【請求項１４】
上記変換工程からの直交変換係数を符号化して上記第１のフォーマットの符号化データとする符号化工程をさらに有することを特徴とする請求項１３に記載の再生方法。
【手続補正３】
【補正対象書類名】明細書
【補正対象項目名】０００１
【補正方法】変更
【補正の内容】
【０００１】
【発明の属する技術分野】
本発明は、圧縮符号化データをフォーマット変換するデータ変換装置及び方法、信号記録再生装置、並びに再生装置及び方法に関し、特に、直交変換を伴う映像データの圧縮符号化の際に、直交変換ブロック毎に直交変換係数が直流成分、交流成分の低次から高次の順に配置された第１のフォーマットの符号化データと、直交変換を伴う映像データの圧縮符号化の際に、複数の直交変換ブロックをまとめたブロック集合体毎に直交変換係数が直流成分、交流成分の低次から高次の順に配置された第２のフォーマットの符号化データとの間でデータ変換を行うデータ変換装置及び方法、並びにこのデータ変換機能を備えた信号記録再生装置に関するものである。
【手続補正４】
【補正対象書類名】明細書
【補正対象項目名】００１３
【補正方法】変更
【補正の内容】
【００１３】
直交変換係数を得るまで部分的に復号し、逆直交変換を施さずに、直交変換係数を並べ替えた後、上記部分的な復号に対応する部分的な符号化を施すだけで、第２の符号化データから第１の符号化データへの変換が行える。
また、本発明は、符号化データを変換するデータ変換装置であって、直交変換を伴う映像データの圧縮符号化の際に、複数の直交変換ブロックをまとめたブロック集合体毎に直交変換係数が直流成分、交流成分の低次から高次の順に配置された第２のフォーマットの符号化データから、上記直交変換係数を取得する取得手段と、上記取得手段により得られた上記直交変換係数を、直交変換を伴う映像データの圧縮符号化の際に、直交変換ブロック毎に直交変換係数が直流成分、交流成分の低次から高次の順に配置された第１のフォーマットの上記直交変換ブロック毎に、直流成分、交流成分の低次から高次の順に配置する変換手段とを有することを特徴とする。
本発明に係るデータ変換装置は、上記変換手段からの直交変換係数を符号化して上記第１のフォーマットの符号化データとする符号化手段をさらに有する。
【請求項９】
また、本発明は、符号化データを変換するデータ変換方法であって、直交変換を伴う映像データの圧縮符号化の際に、複数の直交変換ブロックをまとめたブロック集合体毎に直交変換係数が直流成分、交流成分の低次から高次の順に配置された第２のフォーマットの符号化データから、上記直交変換係数を取得する取得工程と、上記取得工程により得られた上記直交変換係数を、直交変換を伴う映像データの圧縮符号化の際に、直交変換ブロック毎に直交変換係数が直流成分、交流成分の低次から高次の順に配置された第１のフォーマットの上記直交変換ブロック毎に、直流成分、交流成分の低次から高次の順に配置する変換工程とを有することを特徴とする。
本発明に係るデータ変換方法は、上記変換工程からの直交変換係数を符号化して上記第１のフォーマットの符号化データとする符号化工程をさらに有する。
また、本発明は、 記録媒体に記録された符号化データを再生する再生装置において、直交変換を伴う映像データの圧縮符号化の際に、複数の直交変換ブロックをまとめたブロック集合体毎に直交変換係数が直流成分、交流成分の低次から高次の順に配置された第２のフォーマットの符号化データが記録された記録媒体から、該第２のフォーマットの符号化データを再生する再生手段と、上記再生手段により再生された上記第２のフォーマットの符号化データを復号するとともに、上記直交変換係数を取得する復号手段と、上記復号手段により取得された上記直交変換係数を、直交変換を伴う映像データの圧縮符号化の際に、直交変換ブロック毎に直交変換係数が直流成分、交流成分の低次から高次の順に配置された第１のフォーマットの上記直交変換ブロック毎に、直流成分、交流成分の低次から高次の順に配置する変換手段とを有することを特徴とする。
本発明に係る再生装置は、上記変換手段からの直交変換係数を符号化して上記第１のフォーマットの符号化データとする符号化手段をさらに有することを特徴とする。
さらに、本発明は、記録媒体に記録された符号化データを再生する再生方法において、直交変換を伴う映像データの圧縮符号化の際に、複数の直交変換ブロックをまとめたブロック集合体毎に直交変換係数が直流成分、交流成分の低次から高次の順に配置された第２のフォーマットの符号化データが記録された記録媒体から、該第２のフォーマットの符号化データを再生する再生工程と、上記再生工程により再生された上記第２のフォーマットの符号化データを復号するとともに、上記直交変換係数を取得する復号工程と、上記復号工程により取得された上記直交変換係数を、直交変換を伴う映像データの圧縮符号化の際に、直交変換ブロック毎に直交変換係数が直流成分、交流成分の低次から高次の順に配置された第１のフォーマットの上記直交変換ブロック毎に、直流成分、交流成分の低次から高次の順に配置する変換工程とを有することを特徴とする。
本発明に係る再生方法は、上記変換工程からの直交変換係数を符号化して上記第１のフォーマットの符号化データとする符号化工程をさらに有する。